(57)【要約】【課題】従来の空間情報を用いたマルチチャンネルオーディオ復号技術は、分析、合成フィルタバンクを複素係数で処理しているため、高い演算コストとメモリ要求を招いてしまう．実数演算のフィルタバンクを使うと演算量は低減されるが、エリアジングによる音質劣化を招く。【解決手段】従来の空間情報を用いたマルチチャンネル復号技術の複素フィルタバンクを実数型に変更した際に発生する、特定のサブバンドでのエリアジングの影響による音質劣化を、初めに影響の大きなエリアジングが発生する領域を反射係数を用いて決定し、次にスケーリングまたはミキシング係数の変化をイコライジングツールを用いて解決する。【選択図】図５
2007178684.tif 000002
【特許請求の範囲】
【請求項１】
時間領域の信号を複数のサブバンド信号に変換する実数演算の分析フィルターバンクと、前記サブバンド信号に対応する無相関信号を生成する実数型オールパスフィルタを持つ無相関モジュールと、前記サブバンド信号をマルチチャンネルのサブバンド信号に変換するチャンネル拡大モジュールと、前記チャンネル拡大モジュールで変換されたマルチチャンネルのサブバンド信号を時間領域の信号に変換する実数演算の合成フィルタバンクとから構成されるマルチチャンネルオーディオ復号装置であって、
さらに、前記各サブバンド信号から反射係数を算出する反射係数算出モジュールと、前記反射係数を用いて強いトーナル成分の存在するサブバンドを特定し、エリアジングの影響を抑圧するために前記反射係数を用いて前記チャンネル拡大モジュールの出力信号を調整するイコライジングモジュールを備えたことを特徴とする、マルチチャンネルオーディオ復号装置。
【請求項２】
時間領域の信号を複数のサブバンド信号に変換する実数演算の分析フィルターバンクと、前記サブバンド信号に対応する無相関信号を生成する実数型オールパスフィルタを持つ無相関モジュールと、前記サブバンド信号をマルチチャンネルのサブバンド信号に変換するチャンネル拡大モジュールと、
前記チャンネル拡大モジュールで変換されたマルチチャンネルのサブバンド信号を時間領域の信号に変換する実数演算の合成フィルタバンクとから構成されるマルチチャンネルオーディオ復号装置であって、
さらに、前記各サブバンド信号から反射係数を算出する反射係数算出モジュールと、前記サブバンド信号からトーナリティを算出するトーナリティ算出モジュールと、前記反射係数を用いて強いトーナル成分の存在するサブバンドを特定し、エリアジングの影響を抑圧するために、前記トーナリティを用いて前記チャンネル拡大モジュールの出力信号を調整するイコライジングモジュールを備えたことを特徴とした、マルチチャンネルオーディオ復号装置。
【請求項３】
反射係数は、単一の周波数成分が２つの連続したサブバンドの間に存在しているときに＋１または−１に近い値をとり、式（数１）を用い、符号は前記連続したサブバンドの偶奇によって決定される値であることを特徴とする、請求項１または請求項２に記載のマルチチャンネルオーディオ復号装置。
【数１】
2007178684.tif 000027
【請求項４】
反射係数の正負をテーブル参照によって求めることを特徴とした、請求項３に記載のマルチチャンネルオーディオ復号装置。
【請求項５】
チャンネル拡大モジュールの出力信号をイコライジングする際に、隣り合ったサブバンドの反射係数の絶対値の平均が第１の閾値以上の場合には前記反射係数の平均値をそれぞれのサブバンドに対応した出力とし、隣り合ったサブバンドの反射係数の絶対値の平均が第２の閾値より小さい場合には前記反射係数をそれぞれのサブバンドに対応した出力とし、隣り合ったサブバンドの反射係数の絶対値の平均が第１の閾値より小さく第２の閾値以上の場合には前記反射係数と前記反射係数の平均値をそれぞれのサブバンドに対応した出力とすることを特徴とした、請求項１に記載のマルチチャンネルオーディオ装置。
【請求項６】
チャンネル拡大モジュールの出力信号をイコライジングする際に、隣り合ったサブバンドのトーナリティの平均値が第１の閾値以上の場合には前記トーナリティの平均値をそれぞれのサブバンドに対応した出力とし、隣り合ったサブバンドのトーナリティの平均値が第２の閾値より小さい場合には前記トーナリティをそれぞれのサブバンドに対応した出力とし、隣り合ったサブバンドのトーナリティの平均値が第１の閾値より小さく第２の閾値以上の場合には前記トーナリティと前記トーナリティの平均値をそれぞれのサブバンドに対応した出力とすることを特徴とした、請求項２に記載のマルチチャンネルオーディオ復号装置。
【請求項７】
分析フィルターバンクは、時間領域の信号を複数のサブバンド信号に変換する実数係数のＱＭＦ分析フィルタバンクと、前記サブバンド信号の分解能を拡張する実数係数のナイキスト分析フィルタバンクから構成され、合成フィルターバンクは、実数係数のナイキスト合成フィルタバンクと、実数係数のＱＭＦ合成フィルタバンクとから構成されることを特徴とする請求項１から請求項６の何れか１項に記載のマルチチャンネルオーディオ復号装置。
【請求項８】
イコライジング処理は、オーディオ信号の一部の周波数帯域のみに適用されることを特徴とした、請求項１から請求項７の何れか１項に記載のマルチチャンネルオーディオ復号装置。
【請求項９】
空間パラメータを共用するサブバンドを１つのパラメータバンドとしてまとめ、前記パラメータバンドごとにイコライジング処理を行うことを特徴とする、請求項１から請求項８の何れか１項に記載のマルチチャンネルオーディオ復号装置。
【請求項１０】
時間領域の信号を実数係数の分析フィルター演算により複数のサブバンド信号に変換するステップと、実数型オールパスフィルタにより前記サブバンド信号に対応する無相関信号を生成するステップと、前記サブバンド信号をマルチチャンネルのサブバンド信号に変換するステップと、前記変換されたマルチチャンネルのサブバンド信号を実数係数の合成フィルタ演算により時間領域の信号に変換するステップとから構成されるマルチチャンネルオーディオ復号方法であって、
さらに、前記各サブバンド信号から反射係数を算出するステップと、前記算出された反射係数を用いて強いトーナル成分の存在するサブバンドを特定し、エリアジングの影響を抑圧するために前記反射係数を用いて前記変換されたマルチチャンネルのサブバンド出力信号をイコライジングするステップとを備えたことを特徴とする、マルチチャンネルオーディオ復号方法。
【請求項１１】
時間領域の信号を実数係数の分析フィルター演算により複数のサブバンド信号に変換するステップと、実数型オールパスフィルタにより前記サブバンド信号に対応する無相関信号を生成するステップと、前記サブバンド信号をマルチチャンネルのサブバンド信号に変換するステップと、前記変換されたマルチチャンネルのサブバンド信号を実数係数の合成フィルタ演算により時間領域の信号に変換するステップとから構成されるマルチチャンネルオーディオ復号方法であって、
さらに、前記各サブバンド信号から反射係数を算出するステップと、前記サブバンド信号からトーナリティを算出するステップと、前記反射係数を用いて強いトーナル成分の存在するサブバンドを特定し、エリアジングの影響を抑圧するために、前記トーナリティを用いて前記変換されたマルチチャンネルの差分バンド出力信号をイコライジングするステップとを備えたことを特徴とした、マルチチャンネルオーディオ復号方法。
【請求項１２】
反射係数は、単一の周波数成分が２つの連続したサブバンドの間に存在しているときに＋１または−１に近い値をとり、式（数２）を用い、符号は前記連続したサブバンドの偶奇によって決定される値であることを特徴とする、請求項１０または請求項１１に記載のマルチチャンネルオーディオ復号方法。
【数２】
2007178684.tif 000028
【請求項１３】
反射係数の正負をテーブル参照によって求めることを特徴とした、請求項１２に記載のマルチチャンネルオーディオ復号方法。
【請求項１４】
変換されたマルチチャンネルのサブバンド出力信号をイコライジングする際に、隣り合ったサブバンドの反射係数の絶対値の平均が第１の閾値以上の場合には前記反射係数の平均値をそれぞれのサブバンドに対応した出力とし、隣り合ったサブバンドの反射係数の絶対値の平均が第２の閾値より小さい場合には前記反射係数をそれぞれのサブバンドに対応した出力とし、隣り合ったサブバンドの反射係数の絶対値の平均が第１の閾値より小さく第２の閾値以上の場合には前記反射係数と前記反射係数の平均値をそれぞれのサブバンドに対応した出力とすることを特徴とした、請求項１０に記載のマルチチャンネルオーディオ方法。
【請求項１５】
変換されたマルチチャンネルのサブバンド出力信号をイコライジングする際に、隣り合ったサブバンドのトーナリティの平均値が第１の閾値以上の場合には前記トーナリティの平均値をそれぞれのサブバンドに対応した出力とし、隣り合ったサブバンドのトーナリティの平均値が第２の閾値より小さい場合には前記トーナリティをそれぞれのサブバンドに対応した出力とし、隣り合ったサブバンドのトーナリティの平均値が第１の閾値より小さく第２の閾値以上の場合には前記トーナリティと前記トーナリティの平均値をそれぞれのサブバンドに対応した出力とすることを特徴とした、請求項１１記載のマルチチャンネルオーディオ復号方法。
【請求項１６】
分析フィルター演算は、時間領域の信号を複数のサブバンド信号に変換する実数係数のＱＭＦ分析フィルタ演算と、前記サブバンド信号の分解能を拡張する実数係数のナイキスト分析フィルタ演算から構成され、合成フィルター演算は、実数係数のナイキスト合成フィルタ演算と、実数係数のＱＭＦ合成フィルタ演算とから構成されることを特徴とする請求項１０から請求項１５の何れか１項に記載のマルチチャンネルオーディオ復号方法。
【請求項１７】
イコライジング処理は、オーディオ信号の一部の周波数帯域のみに適用されることを特徴とした、請求項１０から請求項１６の何れか１項に記載のマルチチャンネルオーディオ復号方法。
【請求項１８】
空間パラメータを共用するサブバンドを１つのパラメータバンドとしてまとめ、前記パラメータバンドごとにイコライジング処理を行うことを特徴とする、請求項１０から請求項１７の何れか１項に記載のマルチチャンネルオーディオ復号方法。
【請求項１９】
請求項１０から請求項１８のいずれか１項に記載の前記マルチチャンネルオーディオ復号方法をコンピュータに実行させるためのプログラム。
【請求項２０】
請求項１９のプログラムを記録した情報記録媒体。
【発明の詳細な説明】
【技術分野】
【０００１】
本発明は、従来の空間情報を用いた低ビットレートマルチチャンネル音響コーデック（たとえば非特許文献１）において、低消費電力で、かつ少ないメモリー容量で処理を行うことのできる復号装置を提供する。本発明は、以下に制限はされないが、放送等の低ビットレートの応用をはじめ、ホームシアターシステム、車載音響システム及び電子ゲームシステムに適用可能である。
【背景技術】
【０００２】
近年、スペーシャルオーディオコーデック（空間音響コーデック）と呼ばれる新しいマルチチャンネル音響符号化復号化技術が開発されている（非特許文献１）。これは、非常に少ない情報量でマルチチャネルの臨場感を圧縮・符号化することができ、例えば、既に日本デジタルテレビの音声方式として用いられているマルチチャネルコーデックであるＡＡＣ方式が、５．１ｃｈ当り５１２ｋｂｐｓや、３８４ｋｂｐｓという多くのビットレートを必要するのに対し、スペーシャルコーデックでは、１２８ｋｂｐｓや、６４ｋｂｐｓ、さらに４８ｋｂｐｓといった非常に少ないビットレートで５．１ｃｈのマルチチャネル信号を圧縮・符号化することができる。
【０００３】
図１は、非特許文献１に代表される、従来の空間音響符号化復号化の基本的原理をステレオ入力信号（２ｃｈ信号）の場合を例として説明する図である。ここで、Ｌは左チャンネル、Ｒは右チャンネルの信号を示す。符号化処理部において、入力音響信号であるＬおよびＲ信号は、所定の時間間隔のフレーム単位に処理され、ダウンミックス部（１００）において、たとえばＭ＝（Ｌ＋Ｒ）／２となる式によりダウンミックス信号Ｍが生成される。空間パラメータ検出モジュール（１０２）は、Ｌ，Ｒ及びＭ信号から、各スペクトルバンドごとに複数の空間パラメータを算出する。音響エンコーダ（１０４）は、ＭＰ３やＡＡＣ等の符号化方式を用いて、ダウンミックス信号Ｍを符号化して、圧縮された符号化列を生成する。さらに多重化装置ＭＵＸ（１０６）において、空間パラメータ情報とＭ信号の符号化列が多重化されビットストリームが生成される。
【０００４】
空間パラメータ検出モジュール（１０２）で検出される空間パラメータ情報としては、２つの信号チャンネル間のレベル／強度差を示すＩｎｔｅｒｃｈａｎｎｅｌ  Ｌｅｖｅｌ  Ｄｉｆｆｅｒｅｎｃｅ（以下ＩＬＤと呼ぶ。）と、２つのチャンネル間の類似性（コヒーレンス／相関度）を示すＩｎｔｅｒ  Ｃｈａｎｎｅｌ  Ｃｏｒｒｅｌａｔｉｏｎ（  以下ＩＣＣと呼ぶ。）などがある。一般に、ＩＬＤは、音のバランス／定位を制御し、ＩＣＣは音の幅／拡散性を制御する。これらは共に聴き手が聴覚的情景を頭の中で構成するのを助ける空間パラメータである。これらの空間パラメータは、通常音響スペクトルを複数の「パラメータバンド」からなるグループに区分されたとき、それぞれのパラメータバンドごとに算出される。
【０００５】
復号化処理では、まず逆多重化装置ＤＥＭＵＸ（１０８）によって、入力されたビットストリームを空間パラメータ情報とダウンミックス信号Ｍの符号化列に分離する。分離されたＭの符号化列は、音響デコーダ（１１０）（たとえばＡＡＣデコーダやＭＰ３デコーダ等）により復号され、ダウンミックス信号Ｍが復元される。ステレオ信号合成モジュール（１１２）では、復号化されたダウンミックス信号Ｍと空間パラメータから、２チャンネルの信号に分離し、元のステレオ信号（Ｌ信号とＲ信号）を復元する。
【０００６】
上記の例では、エンコーダにおいて入力の二つの信号から１つのダウンミックス信号と空間パラメータを抽出し、デコーダにおいて、空間パラメータとダウンミックス信号とから、ダウンミックス信号を２つの信号に分離する場合を説明したが、２チャンネルより多いオーディオ信号（例えば５．１チャンネル音源を構成する６つの信号）を、符号化処理時に１チャンネルもしくは２チャンネルのダウンミックス信号に圧縮し、復号化処理において５．１チャンネル信号（６チャンネル）に復元することができる。図２は、６チャンネルの場合の例であり、各チャンネル分離モジュール（２００〜２０４）において１つの中間ダウンミックス信号を２つの中間ダウンミックス信号に分離する処理が、６チャンネルそれぞれの単一信号に分離されるまで繰り返される。ここで、Ｌf、Ｒf、Ｌs、Ｒs、Ｃ、及びＬＦＥは、それぞれ左前方スピーカ信号、右前方スピーカ信号、左後方スピーカ信号、右後方スピーカ信号、前方中央信号、及び低域周波数信号に相当する。
【０００７】
図３は、２チャンネル入力の場合のチャンネル分離モジュール（３００）の原理を説明するブロック図である。入力されたダウンミックス信号Ｍは、オールパスフィルタ（３０１）によって処理され、無相関信号Ｍrevが生成される。次にモジュール３０３において、上記２つの信号ＭおよびＭrevは、ミキシング係数であるＨijと合成され、以下の式（数１）により２つの信号出力Ｌ及びＲに分離される。
【０００８】
【数１】
2007178684.tif 000003
【０００９】
ここで使用されるミキシング係数は、ブロック（３０２）において、分離信号間の相関の程度、及び分離信号の指向性を維持するように空間パラメータＩＬＤおよびＩＣＣから算出される。
【００１０】
図４は、従来の空間音響デコーダの主要なモジュールを説明するブロック図である。逆多重化装置によって分離されたダウンミックス信号符号化列は、音響デコーダ（４００）によって、時間領域音響信号に復号化され。次に、分析フィルタバンク（４０１）によって複数のサブバンド信号に変換される。この分析フィルタバンクは、例えば、ＱＭＦフィルタバンクと、ナイキストフィルタバンクの２段階のフィルタで構成され、最初にＱＭＦフィルタバンクで複数のサブバンドに分けられた後、低周波数サブバンドのスペクトルの分解能を高めるために、さらにナイキストフィルタバンクで低周波数サブバンドを分割する。
【００１１】
次に、分析フィルタバンク（４０１）の出力ベクトルｘ信号から、チャンネル分離されたｙベクトル信号が生成される過程を、図２の５．１ｃｈの場合を例に説明する。プリマトリクスモジュール（４０２）の目的は、図２の各チャンネル分離モジュール（２００〜２０４）が無相関信号を生成するために用いることができる中間信号を生成することである。プレマトリックスモジュールは、入力ダウンミックス信号ＭのエネルギーレベルをスケーリングするＩＬＤ空間パラメータから合成信号Ｍ1からＭ4のＩＬＤ空間パラメータの、スケーリングファクタのベクトルＲ1を算出する。
【００１２】
【数２】
2007178684.tif 000004
【００１３】
この例において、Ｍ1、Ｍ2、Ｍ3、Ｍ4はそれぞれ、
Ｍ1 ＝  Ｌf ＋  Ｒf  ＋  Ｃ  ＋  ＬＦＥ
Ｍ2 ＝  Ｌf ＋  Ｒf
Ｍ3 ＝  Ｃ  ＋  ＬＦＥ
Ｍ4 ＝  Ｌs ＋  Ｒs
である。
【００１４】
無相関モジュール（４０３）は、ｖ（ｎ，  ｓｂ）にオールパスフィルタ処理を施し、下記の式により無相関信号ｗを生成する。ここで、Ｍi,revはＭiに無相関処理を施したものである。
【００１５】
【数３】
2007178684.tif 000005
【００１６】
ポストマトリクスモジュール（４０４）は、個々の信号を導出するために、ＭとＭi,revをミキシングするミキシング係数のマトリックスＲ2を算出する。図２の例を参照すると、
Ｌf  ＝  Ｈ11,A  ＊  Ｍ2  ＋  Ｈ12,A  ＊  Ｍ2,rev
Ｍ2  ＝  Ｈ11,D  ＊  Ｍ1  ＋  Ｈ12,D  ＊  Ｍ1,rev
Ｍ1  ＝  Ｈ11,E  ＊  Ｍ  ＋  Ｈ12,E  ＊  Ｍrev
となる。
【００１７】
ここで、Ｈij,Aは、チャンネル分離モジュールＣＳ＿Ａ（２００）等におけるミキシング係数Ｈijである。上記３つの数式は、以下の（数４）のような一つのベクトル乗算式にまとめることができる。
【００１８】
【数４】
2007178684.tif 000006
【００１９】
上記と同様の数式は、Ｒf、Ｌs、．．．ＬＦＥを導出するための、Ｒ2,Rf，  Ｒ2,Ls  …  Ｒ2,LFE ベクトルを算出することによって導出することができる。よって、ベクトルｙは以下の（数５）のように表すことができる。
【００２０】
【数５】
2007178684.tif 000007
【００２１】
チャンネル分離モジュール（２００〜２０４）からのミキシング係数の倍数集合からなるマトリックスであるＲ2は、マルチチャンネル信号を生成するために、Ｍ，  Ｍrev，  Ｍ2,rev，  ．．．  Ｍ4,revを線形結合したようにみられる。
【００２２】
Ｒ1とＲ2はいずれも，行を示すｒ，列を示すｃ，時間を示すｎ，サブバンドを示すｓｂによって特定することができる。
【００２３】
最後に、分離された各信号は合成フィルタバンク（４０５）によって時間領域信号に変換され、マルチチャンネルの出力信号を得る。ここで、分析フィルタバンクがＱＭＦ分析フィルタバンクとナイキスト分析フィルタバンクで構成される場合には、合成フィルタバンク（４０５）は、合成ＱＭＦフィルタバンクと、合成ナイキストフィルタバンクで構成される。
【００２４】
本発明の目的は、前述の構成の空間音響デコーダにおいて、高音質を維持しつつ、必要なメモリ容量、消費電力を減らすことである。
【非特許文献１】Ｊ．  Ｈｅｒｒｅ，  ｅｔ  ａｌ，  “Ｔｈｅ  Ｒｅｆｅｒｅｎｃｅ  Ｍｏｄｅｌ  Ａｒｃｈｉｔｅｃｔｕｒｅ  ｆｏｒ  ＭＰＥＧ  Ｓｐａｔｉａｌ  Ａｕｄｉｏ  Ｃｏｄｉｎｇ”，  １１８ｔｈ  ＡＥＳ  Ｃｏｎｖｅｎｔｉｏｎ，  Ｂａｒｃｅｌｏｎａ
【発明の開示】
【発明が解決しようとする課題】
【００２５】
しかしながら従来技術において述べられた空間音響デコーダは、複素係数によるフィルタバンクによって実現されており、復号処理が複素領域において実行されるため、多くの演算費とメモリ容量を必要とする。複素係数の代わりに実数係数のフィルターバンクを用いることにより演算量を大幅に削減することが可能であるが、この場合下記に説明するようにエリアジングの影響による音質劣化が生じてしまうという課題がある。
【００２６】
複素係数の分析フィルタバンクは、スペクトル領域を複数のサブバンドに分割した際の、それぞれのサブバンドの信号を出力する。現実のフィルタバンクに用いられるプロトタイプフィルタは、サブバンド間で周波数応答の領域が重なるため、エリアジングが発生する。分析フィルタバンクの出力信号が修正されない場合、もしくは全てのサブバンドに対して同量の修正が行われる場合に、合成フィルタバンクにおいて信号スペクトル全体にわたり周辺サブバンドに流れ出すエリアジング要素は削除されるように、フィルタバンクは設計される。
【００２７】
しかしながら、信号が修正される場合には、複素フィルタバンクは、その「オーバーサンプリング」特性を通して冗長性を持ち込むことによって、エリアジングの問題を軽減するが、演算及びメモリ負荷を軽減するために実数係数のフィルタバンクを用いた場合、信号は「オーバーサンプル」から「クリティカルサンプル」に変化する。言い換えれば、ミキシングマトリックスＲ１及びＲ２によって信号帯域が独立してスケーリングされる場合に、エリアジングの影響による音質の劣化をはっきりと聴くことができるようになる。実際に、エリアジングの影響は、信号スペクトルの強いトーナル成分を持つサブバンド域周辺において特に目立つ。
【課題を解決するための手段】
【００２８】
上記課題を解決するために、本発明のマルチチャンネルオーディオ復号装置は、入力時間信号系列から複数のサブバンドを生成する実数係数の分析フィルタバンクと、前記サブバンド信号に対応する無相関信号を生成する実数係数のオールパスフィルタを持つ無相関モジュールと、前記サブバンド信号をマルチチャンネルのサブバンド信号に変換するチャンネル拡大モジュールと、前記サブバンド信号から反射係数を算出する反射係数算出モジュールと、前記反射係数を用いてエリアジングが発生する可能性が高い、強いトーナル成分の存在するサブバンドを特定し、さらに前記エリアジングを抑制するために、前記反射係数を用いてチャンネル拡大モジュールの出力信号をイコライジングするイコライジングモジュールと、実数係数の合成フィルタバンクから構成されることを特徴とする。
【００２９】
本発明は、時間領域の信号を複数のサブバンド信号に変換する実数演算の分析フィルターバンクと、前記サブバンド信号に対応する無相関信号を生成する実数型オールパスフィルタを持つ無相関モジュールと、前記サブバンド信号をマルチチャンネルのサブバンド信号に変換するチャンネル拡大モジュールと、前記チャンネル拡大モジュールで変換されたマルチチャンネルのサブバンド信号を時間領域の信号に変換する実数演算の合成フィルタバンクとから構成されるマルチチャンネルオーディオ復号装置であって、さらに、前記各サブバンド信号から反射係数を算出する反射係数算出モジュールと、前記反射係数を用いて強いトーナル成分の存在するサブバンドを特定し、エリアジングの影響を抑圧するために前記反射係数を用いて前記チャンネル拡大モジュールの出力信号を調整するイコライジングモジュールを備えたことを特徴とする、マルチチャンネルオーディオ復号装置を提供する。
【００３０】
本発明はまた、時間領域の信号を複数のサブバンド信号に変換する実数演算の分析フィルターバンクと、前記サブバンド信号に対応する無相関信号を生成する実数型オールパスフィルタを持つ無相関モジュールと、前記サブバンド信号をマルチチャンネルのサブバンド信号に変換するチャンネル拡大モジュールと、前記チャンネル拡大モジュールで変換されたマルチチャンネルのサブバンド信号を時間領域の信号に変換する実数演算の合成フィルタバンクとから構成されるマルチチャンネルオーディオ復号装置であって、さらに、前記各サブバンド信号から反射係数を算出する反射係数算出モジュールと、前記サブバンド信号からトーナリティを算出するトーナリティ算出モジュールと、前記反射係数を用いて強いトーナル成分の存在するサブバンドを特定し、エリアジングの影響を抑圧するために、前記トーナリティを用いて前記チャンネル拡大モジュールの出力信号を調整するイコライジングモジュールを備えたことを特徴とした、マルチチャンネルオーディオ復号装置を提供する。
【００３１】
本発明の一実施態様において、反射係数は、単一の周波数成分が２つの連続したサブバンドの間に存在しているときに＋１または−１に近い値をとり、（数６）を用い、符号は前記連続したサブバンドの偶奇によって決定される値であることを特徴とする。
【００３２】
【数６】
2007178684.tif 000008
【００３３】
本発明のさらなる一実施態様においては、反射係数の正負をテーブル参照によって求めることを特徴とする。
【００３４】
本発明のさらなる一実施態様において、チャンネル拡大モジュールの出力信号をイコライジングする際に、隣り合ったサブバンドの反射係数の絶対値の平均が第１の閾値以上の場合には前記反射係数の平均値をそれぞれのサブバンドに対応した出力とし、隣り合ったサブバンドの反射係数の絶対値の平均が第２の閾値より小さい場合には前記反射係数をそれぞれのサブバンドに対応した出力とし、隣り合ったサブバンドの反射係数の絶対値の平均が第１の閾値より小さく第２の閾値以上の場合には前記反射係数と前記反射係数の平均値をそれぞれのサブバンドに対応した出力とすることを特徴する。
【００３５】
本発明の別の実施態様において、チャンネル拡大モジュールの出力信号をイコライジングする際に、隣り合ったサブバンドのトーナリティの平均値が第１の閾値以上の場合には前記トーナリティの平均値をそれぞれのサブバンドに対応した出力とし、隣り合ったサブバンドのトーナリティの平均値が第２の閾値より小さい場合には前記トーナリティをそれぞれのサブバンドに対応した出力とし、隣り合ったサブバンドのトーナリティの平均値が第１の閾値より小さく第２の閾値以上の場合には前記トーナリティと前記トーナリティの平均値をそれぞれのサブバンドに対応した出力とすることを特徴とする。
【００３６】
本発明の別の実施態様において、分析フィルターバンクは、時間領域の信号を複数のサブバンド信号に変換する実数係数のＱＭＦ分析フィルタバンクと、前記サブバンド信号の分解能を拡張する実数係数のナイキスト分析フィルタバンクから構成され、合成フィルターバンクは、実数係数のナイキスト合成フィルタバンクと、実数係数のＱＭＦ合成フィルタバンクとから構成されることを特徴とする。
【００３７】
本発明の別の一実施態様において、イコライジング処理は、オーディオ信号の一部の周波数帯域のみに適用されることを特徴とする。
【００３８】
本発明の別の一実施態様において、空間パラメータを共用するサブバンドを１つのパラメータバンドとしてまとめ、前記パラメータバンドごとにイコライジング処理を行うことを特徴とする。
【００３９】
本発明はまた、時間領域の信号を実数係数の分析フィルター演算により複数のサブバンド信号に変換するステップと、実数型オールパスフィルタにより前記サブバンド信号に対応する無相関信号を生成するステップと、前記サブバンド信号をマルチチャンネルのサブバンド信号に変換するステップと、前記変換されたマルチチャンネルのサブバンド信号を実数係数の合成フィルタ演算により時間領域の信号に変換するステップとから構成されるマルチチャンネルオーディオ復号方法であって、さらに、前記各サブバンド信号から反射係数を算出するステップと、前記算出された反射係数を用いて強いトーナル成分の存在するサブバンドを特定し、エリアジングの影響を抑圧するために前記反射係数を用いて前記変換されたマルチチャンネルのサブバンド出力信号をイコライジングするステップとを備えたことを特徴とする、マルチチャンネルオーディオ復号方法を提供する。
【００４０】
本発明はまた、時間領域の信号を実数係数の分析フィルター演算により複数のサブバンド信号に変換するステップと、実数型オールパスフィルタにより前記サブバンド信号に対応する無相関信号を生成するステップと、前記サブバンド信号をマルチチャンネルのサブバンド信号に変換するステップと、前記変換されたマルチチャンネルのサブバンド信号を実数係数の合成フィルタ演算により時間領域の信号に変換するステップとから構成されるマルチチャンネルオーディオ復号方法であって、さらに、前記各サブバンド信号から反射係数を算出するステップと、前記サブバンド信号からトーナリティを算出するステップと、前記反射係数を用いて強いトーナル成分の存在するサブバンドを特定し、エリアジングの影響を抑圧するために、前記トーナリティを用いて前記変換されたマルチチャンネルの差分バンド出力信号をイコライジングするステップとを備えたことを特徴とした、マルチチャンネルオーディオ復号方法を提供する。
【００４１】
本発明はまた、上述のいずれかに記載の前記マルチチャンネルオーディオ復号方法をコンピュータに実行させるためのプログラムを提供する。
【００４２】
本発明はまた、上述のプログラムを記録した情報記録媒体を提供する。
【発明の効果】
【００４３】
本発明により、ビットストリームの構造を変形することなく、従来の空間音響復号技術の演算量を大幅に削減することが可能となり、実数係数フィルタを用いた場合に課題であったエリアジング歪による音質劣化を抑え、低演算、高音質を両立させたマルチチャンネルオーディオ復号装置が実現できる。
【発明を実施するための最良の形態】
【００４４】
以下の記載では、非特許文献１に示される音響空間符号化技術を、多数かつ直接的に参照しているが、本発明はその特定の技術に限定されるものではない。
【００４５】
本発明は、以下の実施の形態および図面を用いて説明されるが、これらに限定されることを意図しない。
【００４６】
（実施の形態１）
図５は、本発明の第１の実施の形態を説明するためのデコーダの構成図である。分析フィルタバンク（５０１）は、オーディオデコーダ（５００）で復号されたダウンミックス出力信号から、複数のサブバンド信号に変換するＱＭＦフィルタバンクとナイキストフィルタバンクとから構成される。ここで従来技術で使用されるＱＭＦフィルタバンク変調係数Ｍは、下記（数７）の複素数係数であるが、本発明では、以下の（数８）の実数変調係数Ｍを用いる。
【００４７】
【数７】
2007178684.tif 000009
【００４８】
【数８】
2007178684.tif 000010
【００４９】
非特許文献１に示される空間音響デコーダには、高音質  （ＨＱ）  モードと低演算量  （ＬＣ）  モードの２つのデコーダモードが存在する。ＨＱモードでは、低域の７つのサブバンドがナイキストフィルタバンク（Ｎｙｑ）によって、それぞれ１６，  ８，  ８，  ４，  ４，  ４，  ４のハイブリッドサブバンドに分割される。ＬＣモードで使用されるナイキストフィルタには、表１の４列目に示すように、複素係数を用いるＴｙｐｅ  Ａのフィルタと実数係数を用いるＴｙｐｅ  Ｂフィルタの２種類のフィルタがあり、これらの低域の３つのサブバンドが８，  ２，  ２のハイブリッドサブバンドに分割される。４列目には対応するハイブリッドサブバンドの数が書かれ、５列目には前記ハイブリッドサブバンドの添字が書かれている。
【００５０】
【表１】
2007178684.tif 000011
【００５１】
また、従来技術で用いられるＴｙｐｅＡのナイキストフィルタバンクでは下記（数９）の複素数変調係数が用いられるが、本発明では、以下の（数１０）の実数変調係数を用いる。
【００５２】
【数９】
2007178684.tif 000012
【００５３】
【数１０】
2007178684.tif 000013
【００５４】
Ｔｙｐｅ  Ｂフィルタは、下記（数１１）の実数係数のナイキストフィルタバンクを使用する。
【００５５】
【数１１】
2007178684.tif 000014
【００５６】
重複しないハイブリッドサブバンドの数は、実数型のＴｙｐｅ  Ａのナイキストフィルタによって分割されたサブバンドの総数の二分の一となる。表１の６列目には実数係数を用いた場合のハイブリッドサブバンドの数が書かれ、７列目には前記実数係数を用いた場合のハイブリッドサブバンドの添字と複素係数を用いた場合のハイブリッドサブバンドの添字の対応が書かれている。
【００５７】
次に上記の実数係数のフィルターバンクを使用した際に発生するエリアジングの影響を抑制するための方法について説明する。
反射係数算出モジュール（５０６）では、下記（数１２）で示されるような式で算出される反射係数ｒｅｆ（ｓｂ）を用いて、高いトーナル成分が存在するハイブリッドサブバンドを特定する。
【００５８】
【数１２】
2007178684.tif 000015
【００５９】
ここで、反射係数ｒｅｆ（ｓｂ）の値は−１から１の間の値をとる。
【００６０】
表２は、ＬＣモードにおいて隣り合う２つハイブリッドサブバンドの間にトーナル成分が存在するときの隣接する２つのサブバンドのｒｅｆ（ｓｂ）の符号ｓｒｅｆ（ｓｂ）を示す。例えば、トーナル成分が２番目と３番目のハイブリッドサブバンドの間に存在するならば（表２のｓｂ＜７，  ｓｂ＝偶数の場合）、表２よりｒｅｆ（２）とｒｅｆ（３）の符号はともに正（＋）となる。２つのハイブリッドサブバンドの周波数応答が重なり合う領域のより近くにトーナル成分が存在するほど、ｒｅｆ（ｓｂ）の絶対値である｜ｒｅｆ（ｓｂ）｜の値は大きくなり、エリアジングが発生する危険性が高くなる。ＨＱモードについても同様の関係を表３に示す。
【００６１】
【表２】
2007178684.tif 000016
【００６２】
【表３】
2007178684.tif 000017
【００６３】
イコライジング処理は、ｒｅｆ（ｓｂ）とｒｅｆ（ｓｂ＋１）の値から、トーナル成分がｓｂとｓｂ＋１の間に存在することが判明した場合、Ｒ（ｓｂ）とＲ（ｓｂ＋１）は互いに近づくように、トーナル成分が強ければ強いほど、これら２つの値はより近づくよう調整する。
【００６４】
図７は、イコライジングモジュール（５０７）での上記のイコライジング処理の詳細を説明するためのフローチャートである。ここでｖ（ｓｂ）はハイブリッドサブバンドｓｂにおけるスケーリングファクタであるＲ1（ｓｂ）とミキシングファクタＲ2（ｓｂ）を示す。モジュール（５０７）では、ｒ行ｃ列ｎ時点について、ｖ（ｓｂ）  ＝  Ｒ1（ｓｂ）となり、モジュール（５０８）では、ｒ行ｃ列ｎ時点について、ｖ（ｓｂ）  ＝  Ｒ2（ｓｂ）となる。
【００６５】
始めにステップ（７００）によってサブバンドインデックスｓｂが０に初期化される。ステップ（７０１）は全てのサブバンドが処理されたかを確認する。すべてのサブバンドの処理が完了すれば、イコライジング処理は終了する。
【００６６】
ステップ（７０２）で各サブバンドｓｂについて、  ｒｅｆ０とｒｅｆ１を算出する。これらはサブバンドｓｂとｓｂ＋１の反射係数ｒｅｆ（ｓｂ）とｒｅｆ（ｓｂ＋１）に、表２または表３に記載されたそれらの極性ｓｒｅｆ（ｓｂ）とｓｒｅｆ（ｓｂ＋１）をそれぞれ乗じた値である。ここで、ｒｅｆ０とｒｅｆ１の平均値とｖ（ｓｂ）とｖ（ｓｂ＋１）の平均値が算出され、それぞれａｖｅ＿ｒｅｆとａｖｅ＿ｖとして保存される。
【００６７】
任意の実数に対して、その実数の極性（＋１あるいは−１）を乗ずると正の値となるので、ｓｂとｓｂ＋１との間に単一のトーナル成分が存在する場合、ｒｅｆ０とｒｅｆ１は正の値となる。  ステップ（７０３）は、ｒｅｆ０およびｒｅｆ１がともに正の値であるかを確認し、層でない場合、ステップ（７０８）でサブバンドｓｂをインクリメントし、次のサブバンドについて同様の処理が繰り返し行われる。
【００６８】
ステップ（７０４）において、各サブバンドについてのａｖｅ＿ｒｅｆと第２の閾値ＴＨ２（ただしＴＨ２＞ＴＨ１）とが比較され、ａｖｅ＿ｒｅｆの値のほうが大きいならば、ｓｂとｓｂ＋１の平均トーナリティは非常に高く、エリアジングの影響が大きく、最大限のイコライジング処理が必要であると判断する。このような場合、ステップ（７０５）により空間パラメータについて２つのサブバンドの平均値ａｖｅ＿ｖを出力とする。
【００６９】
ステップ（７０６）ではａｖｅ＿ｒｅｆと第１の閾値ＴＨ１（ただしＴＨ１＜ＴＨ２）とを比較する。Ａｖｅ＿ｒｅｆの値の方が小さいならば、エリアジングの影響を無視できるほどｓｂとｓｂ＋１のトーナリティが低いことを意味する。よってこの場合、イコライジング処理は行わない。
【００７０】
第１の閾値ＴＨ１と第２の閾値ＴＨ２の間の値となるａｖｅ＿ｒｅｆを持つすべてのサブバンドについて、ステップ（７０７）の処理により、ｓｂ及びｓｂ＋１の空間パラメータは線形的に補間された値に調整される。この補間処理は、ａｖｅ＿ｒｅｆが第１の閾値ＴＨ１に近ければｖ（ｓｂ）とｖ（ｓｂ＋１）はその元の値に近くなり、ａｖｅ＿ｒｅｆが第２の閾値ＴＨ２に近ければ、ｖ（ｓｂ）とｖ（ｓｂ＋１）はその平均値である０．５＊（ｖ（ｓｂ）＋ｖ（ｓｂ＋１））に近くなる。
【００７１】
ステップ（７００）からステップ（７０８）までの処理は、Ｒ1とＲ2の全ての行ｒ，列ｃ，時間ｎについて行われる。
【００７２】
空間パラメータの量を削減するため、一定の範囲のｓｂと  ｎの領域で空間パラメータを共有するパラメータバンドに（ｎ，  ｓｂ）平面を分割し、連続したサブバンドは同じ空間パラメータを持つという知見を利用して、上記の実施例を高速化することが可能である。パラメータバンドの切り替わりの結果、空間パラメータが変化したサブバンドのみ、イコライジング処理を施す。この場合、例えばステップ（７０３）の条件式を、次のように変形すればよい。
【００７３】
（ｒｅｆ０＞０  ＆＆  ｒｅｆ１＞０）  ＆＆  （ＰＡＲＡＭ＿ＢＡＮＤ（ｓｂ）！＝ＰＡＲＡＭ＿ＢＡＮＤ（ｓｂ＋１））
【００７４】
無相関化モジュール（５０３）では、非整数遅延係数は除去され、（数１３）の複素ラティス係数の代わりに、以下の式（数１４）のように実数ラティス係数を用いて処理が行われる。
【００７５】
【数１３】
2007178684.tif 000018
【００７６】
【数１４】
2007178684.tif 000019
【００７７】
上記のように非整数遅延係数を除去した際の出力信号のエコー密度の現象は僅かであるため、高音質を維持したまま、演算量やメモリ容量の大幅な削減を実現することができる。
【００７８】
最後に、ナイキスト合成フィルタバンク及びＱＭＦ合成フィルタバンクから構成される合成フィルタバンク（５０５）において、従来例で説明した合成フィルタバンク（４０５）のＱＭＦ合成フィルターバンクで用いられる（数１５）の複素変調係数に代わって、以下の（数１６）の実数変調係数を用いて、合成フィルター処理が行われ、時間領域の復号化されたマルチチャンネル信号が出力される。
【００７９】
【数１５】
2007178684.tif 000020
【００８０】
【数１６】
2007178684.tif 000021
【００８１】
（実施の形態２）
図６は、本発明の第２の実施の形態を説明するためのデコーダのブロック図である。実施の形態１のブロック図である図５との相違は、反射係数算出モジュール（５０６）が、反射係数／トーナリティ算出モジュール（６０６）に置き換わり、イコライジングモジュール（６０７，６０８）の動作が一部異なることであり、それ以外のモジュールの動作は図５と同一であるのでここでは説明を省略する。前記第１の実施の形態で説明した反射係数によってトーナル成分が存在するサブバンドを特定し、別のトーナリティ測定手段がイコライジングの必要度合いを評価するために用いられる。
【００８２】
例えば、ｇフレーム目のｓｂサブバンドにおけるトーナリティ  Ｔg（ｓｂ）は次式（数１７）に示すようにエネルギで重み付けされたコヒーレンスの平均値として算出される。
【００８３】
【数１７】
2007178684.tif 000022
【００８４】
ここで、下記（数１８）は２つのフレームｇとｇ−１における信号パワーを示し、下記（数１９）は前記フレーム間のコヒーレンスを示す。
【００８５】
【数１８】
2007178684.tif 000023
【００８６】
【数１９】
2007178684.tif 000024
【００８７】
また、下記（数２０）は０から１の間の値をとり、０はトーナリティがまったく存在しないことを示し、１は非常に高いトーナリティが存在することを示す。次式（数２１）に示すように、対象となる２つのフレームのトーナリティの内、小さい方の値を最終的なトーナリティとする。
【００８８】
【数２０】
2007178684.tif 000025
【００８９】
【数２１】
2007178684.tif 000026
【００９０】
図８は、トーナリティを用いたイコライジング処理の方法を説明するためのフローチャートである。第１の実施の形態で説明した反射係数を用いたイコライジング処理（図７）との違いは、（８０３）で反射係数を用いてトーナル成分が存在するサブバンドを確定した後、ステップ（８０２）で算出されたサブバンドｓｂとサブバンドｓｂ＋１の平均トーナリティであるａｖｅ＿Ｔを用いて、ステップ（８０５）およびステップ（８０６）の閾値判定を行い、ステップ（８０７）でａｖｅ＿Ｔを用いてイコライジング処理を行うことである。それ以外のステップの処理の内容は、図７と同一である。
【００９１】
（実施の形態３）
本発明の実施の形態３として、前記実施の形態１および２のイコライジングの処理を、周波数スペクトル上の一部分にのみ適用する場合について図９を用いて説明する。
【００９２】
図９は、周波数スペクトルを、サブバンドＳＢ＿ＳＴＡＲＴおよびＳＢ＿ＳＴＯＰで分割した様子を示し、例えば実施の形態１および２で説明したイコライジングの処理を図９のＢの領域のみ行うようにする。具体的には、周波数スペクトル上の低域部分に相当する’Ａ’領域では、エリアジングをほとんど発生させないために複素数処理のままにしておき、’Ｂ’領域では実施の形態１および２で説明した方法によるイコライジングを行い。’Ｃ’領域では従来用いられている他のイコライジングを行う。すなわち、本実施例は従来の他のイコライジング方式と共存することが可能である。
【００９３】
実際には、上記一部の周波数スペクトル領域へのイコライジングの処理は、たとえば図７および図８のフローチャートにおいて、ステップ（７００）およびステップ（８００）でｓｂをＳＢ＿ＳＴＡＲＴという数値で初期化し、ステップ（７０１）およびステップ（８０１）において終了条件を  ｓｂ  ＝＝  ＳＢ＿ＳＴＯＰ  -  １  と置き換えることによって実現できる。
【００９４】
なお、これらの処理は、図９の場合に限定されず、エリアジングの影響が生じる可能性のない周波数スペクトルの帯域があれば、当該帯域についてのイコライジングを行わないようにするように構成することも可能である。
【００９５】
（実施の形態４）
本発明の実施の形態４として、１つのＱＭＦサブバンドに２つの近接したトーナル成分が存在する場合を考慮したイコライジング処理方法について説明する。これは表２および表３において、ＬＣモードではｓｂが７より大きいとき、ＨＱモードではｓｂが２３より大きいときが対象となる。
【００９６】
ｓｂが偶数かつｓｂとｓｂ＋１の間にトーナル成分が存在するならば、表２および表３から明らかなように、ｒｅｆ（ｓｂ）とｒｅｆ（ｓｂ＋１）  はともに負の値とある。同様にｓｂが偶数かつｓｂ＋１とｓｂの間にトーナル成分が存在するならば、ｒｅｆ（ｓｂ＋１）とｒｅｆ（ｓｂ＋２）  はともに正の値である。
【００９７】
しかしながら１つのＱＭＦサブバンドに同時に２つのトーナル成分が存在するときには、ｒｅｆ（ｓｂ＋１）の符号は対応するトーナル成分のエネルギに依存し、高域側のトーナル成分が低域側のトーナル成分よりエネルギが大きければｒｅｆ（ｓｂ＋１）は正の値となり、低域側のトーナル成分のエネルギが大きければｒｅｆ（ｓｂ＋１）は負の値となる。よってこの場合は、ｒｅｆ（ｓｂ＋１）を用いてイコライジングの量を決定することができない。
【００９８】
以下、実施の形態４のイコライジングの方法を、図１０のフローチャートを用いて説明する。まずステップ（１０００）においてｓｂはＳＴＡＲＴ＿ＳＢで初期化される。ここで、ＬＣモードのときＳＴＡＲＴ＿ＳＢ  は８であり、  ＨＱモードではＳＴＡＲＴ＿ＳＢは２４である。
【００９９】
ステップ（１００２）においてｓｂから始まる３つの連続したサブバンドの反射係数ｒｅｆ（ｓｂ）、ｒｅｆ（ｓｂ＋１）、ｒｅｆ（ｓｂ＋２）が算出され、ｓｂが偶数の時には符号を負、すなわちｓｉｇｎ（ｓｂ）を−１とし、ｓｂが奇数の時にはｓｉｇｎ（ｓｂ）を１として、各反射係数にｓｉｇｎ（ｓｂ）を乗じた値を求め、それぞれｒｅｆ０，  ｒｅｆ１，  ｒｅｆ２として記録される。
【０１００】
ステップ（１００３）において、  ｒｅｆ０  とｒｅｆ２の符号が異なっているかを調べ、異なっている場合には１つのＱＭＦサブバンドに２つのトーナル成分が存在すると推定される。この場合、ｒｅｆ１は高域のトーナル成分に影響されてしまうため、ステップ（１００４）によってａｖｅ＿ｒｅｆとしてｒｅｆ０が用いられる。一方、ｒｅｆ０  とｒｅｆ２の符号が等しい場合には、１つのＱＭＦサブバンドに１つのトーナル成分が存在すると推定され、ステップ（１００５）から以降の処理は、実施の形態１で説明したものと同様の処理が行われる。
【０１０１】
なお、本発明の実施の形態１、２，３および４では、図４、図５、図６に示されるようなプリマトリクス化モジュールとポストマトリクス化モジュールで構成される音響空間デコーダを用いて説明したが、Ｒ１を生成するためにプリマトリクス化モジュールとポストマトリクス化モジュールを統合した統合マトリクス化モジュールを用いて構成することも可能である。図１１は、図５が統合マトリクス化モジュールで構成された場合に、反射係数を用いてイコライジング処理を行う音響空間デコーダのブロック図である。ここでＲ１をイコライジングするイコライジングモジュール（１１０６）の処理として、本発明の実施の形態１あるいは４で説明したイコライジングの方法を適用することが可能である。図６に関しても同様に、統合マトリクス化モジュールで構成することができ、イコライジング処理は、実施の形態２あるいは４で説明したものと同様の方法を適用することが可能である。また、これらのいずれの場合においても、ｕ（ｎ．ｓｂ）  ＝  ｘ（ｎ．ｓｂ）と近似すると、反射係数を１回だけ計算すればよく、さらなる演算量の削減も可能となる。
【産業上の利用可能性】
【０１０２】
本発明のマルチチャンネルオーディオ復号装置は、低消費電力で、かつ少ないメモリー容量で処理を行うことのできる復号装置であって、放送等の低ビットレートの応用をはじめ、ホームシアターシステム、車載音響システム及び電子ゲームシステムに適用可能である。
【図面の簡単な説明】
【０１０３】
【図１】空間音響符号化復号化処理の基本原理を示す図である。
【図２】ダウンミックス信号を個々の信号に分離する多段チャンネル分離方法を示す図である。
【図３】チャンネル分離の原理を示す図である。
【図４】従来の空間音響復号化技術を示すブロック図である。
【図５】本発明の実施の形態１のデコーダブロック図である。
【図６】本発明の実施の形態２のデコーダブロック図である。
【図７】本発明の実施の形態１のイコライジング処理のフローチャートである。
【図８】本発明の実施の形態２のイコライジング処理のフローチャートである。
【図９】本発明の実施の形態３のイコライジング処理を説明するための図である。
【図１０】本発明の実施の形態４のイコライジング処理のフローチャートである。
【図１１】統合化マトリクス処理を適用する場合のデコーダのブロック図である。
【符号の説明】
【０１０４】
５００  オーディオデコーダ
５０１  分析フィルタバンク
５０３  無相関化モジュール
５０６  反射係数算出モジュール
５０７  イコライジングモジュール
【図１】
2007178684.tif 000029
【図２】
2007178684.tif 000030
【図３】
2007178684.tif 000031
【図４】
2007178684.tif 000032
【図５】
2007178684.tif 000033
【図６】
2007178684.tif 000034
【図７】
2007178684.tif 000035
【図８】
2007178684.tif 000036
【図９】
2007178684.tif 000037
【図１０】
2007178684.tif 000038
【図１１】
2007178684.tif 000039